(57)【要約】  本発明は衣服の改善に関し、特に、衣服を保持可能な一体のポケット（１１）を備えた編物の衣服（１０）の改善に関する。本発明は、非常に細く又はマイクロファイバーにより編まれた衣服を備え、該衣服の繊維が伸縮性を有するようになっている。前記衣服は一体のポケットを備え、該ポケットは外辺部を有し、該ポケットの外辺部の第１の部分は前記衣服に取り付けられ、前記ポケットの外辺部の第２の部分（１３）は前記ポケットの口を形成する。前記ポケットは該ポケットの口の長さが該ポケットの最大長さより短くなるように形成され、該ポケットはそれを前記衣服に包み込むことができると共にコンパクトな包みで前記ポケット内にそれを保持することができるように伸縮可能である。
2009544860.tif 000002
【特許請求の範囲】
【請求項１】
織物が伸縮性を有するような非常に細かい又はマイクロファイバーにより編まれた衣服であって、一体のポケットを備え、該ポケットは外辺部を有し、該ポケットの外辺部の第１の部分は前記衣服に取り付けられ、該ポケットの外辺部の第２の部分は該ポケットの口を形成し、該ポケットは該ポケットの口の長さが該ポケットの最大長さより短くなるように形成され、該ポケットは前記衣服をそれに包み込むことができると共にコンパクトな包みで前記ポケット内にそれを保持できるように伸縮性を有していることを特徴とする衣服。
【請求項２】
前記ポケットは前記衣服の内側に配置されている請求項１に記載の衣服。
【請求項３】
前記ポケットは前記衣服の背面に取り付けられている請求項１又は請求項２に記載の衣服。
【請求項４】
前記ポケットは、該ポケットが前記肩／背面の少なくとも一部分を覆うように前記第１の部分が前記衣服に取り付けられている請求項３に記載の衣服。
【請求項５】
前記ポケットは前記第１の部分が前記衣服の下縁の一部分に沿って取り付けられるように配置されている請求項３に記載の衣服。
【請求項６】
繊維は天然繊維である前記各請求項のいずれか１の請求項に記載の衣服。
【請求項７】
繊維は化学繊維又は人工繊維である請求項１〜５のいずれか１の請求項に記載の衣服。
【請求項８】
繊維は異なるタイプの繊維及び又はマイクロファイバーの混合である前記請求項のうちのいずれか１の請求項に記載の衣服。
【請求項９】
繊維は１９．５ミクロンの最大幅を有している前記請求項のうちのいずれか１の請求項に記載の衣服。
【請求項１０】
前記ポケットは４つの縁を有し、前記第１の部分は３つの隣接する縁を備えている前記請求項のうちのいずれか１の請求項に記載の衣服。
【請求項１１】
前記ポケットは台形である前記請求項のうちのいずれか１の請求項に記載の衣服。
【請求項１２】
前記ポケットは長円形又は楕円形である請求項１〜１０のいずれか１の請求項に記載の衣服。
【請求項１３】
前記ポケットはとっくり襟の衣服の襟に配置されている前記請求項のうちのいずれか１の請求項に記載の衣服。
【請求項１４】
前記ポケットは前部と後部を有し、繊維の一部分は前記ポケットの前部を形成し、前記衣服に取り付けられ、前記衣服の一部分は前記ポケットの背面を形成している前記請求項のうちのいずれか１の請求項に記載の衣服。
【請求項１５】
前記ポケットは前部と後部を有し、前記ポケットの外辺部の第１の部分の少なくとも一部分により前記衣服に取り付けられている前記請求項のうちのいずれか１の請求項に記載の衣服。
【請求項１６】
実質的に、添付した図面を参照して上述され、図示された衣服。
【発明の詳細な説明】
【技術分野】
【０００１】
本発明は衣服の改良に関し、特に、衣服が保持する不可欠なポケットを備えた編物の衣服に関する。
【背景技術】
【０００２】
天候が涼しくなった時に、セーターやカーディガン等の追加する暖かい衣類を持ち運ぶことが重宝となる情況がよくある。特に、例えば、カクテルパーティやガーデンパーティ、或いは飛行機やゴルフコースでそれが必要とされる場合、ハンドバッグ、リュックサック、ゴルフバッグ等のバッグできちんと持ち運ぶことができる衣服があることは便利であろう。
【０００３】
Pacamac（登録商標）やK-way（登録商標）のブランドで販売されているように、防水カグールにおいて、使用しない時にカグールを折り畳み可能な袋を組み込むことは周知である。その袋はカグールの前のファスナー又はスナップで開閉されるポケットの形態で提供可能である。
【発明の概要】
【発明が解決しようとする課題】
【０００４】
しかしながら、そのような防水の衣服で使用されるデザインはニットウェアには適していない。特に、ファスナーやスナップを付けることは細かく編まれた衣服には適していない。さらにその上、結果として生じる包みは使用される編物の性質により小さくなかった。
【０００５】
そのため、本発明の目的は、衣服が小さく素敵な包みを保ち続けることができる一体化したポケットを有する細かく編まれた衣服を提供することである。
【課題を解決するための手段】
【０００６】
そのため、本発明は、衣服の織物が伸縮性を有し、外辺部を有する一体化されたポケットを有し、そのポケットの外辺部の第１の部分が衣服に取り付けられ、ポケットの外辺部の第２の部分がポケットの口を形成し、そのポケットの形状はポケットの口の長さがポケットの最大長さより短く、そのポケットはそれに衣服を包み込ませることが可能なように伸縮可能であり、そのポケット内にそれをコンパクトな包みに保持するように構成されている、非常に細かく、又はマイクロファイバーから編まれた衣服を提供する。
【０００７】
衣服は非常に細かく又はマイクロファイバーから編まれているため、かなり小さい面積に折り畳むことができ、コート又はジャケットのポケット、ハンドバッグ、ブリーフケース又は必ずしも身に着けない他のバッグにおいて、人が便利に身近に持ちたい一層形式的なより正装の衣服にとって本発明は特に適している。編む過程から生じる衣服の伸縮性に関連して、ポケットの形状はPacamac（登録商標）やK-way（登録商標）の防水が必要であったファスナー又はスナップやボタンの必要性なしにそれがポケットに保持されることを意味している。これらは多くの理由で好都合である。例えば、着用者が衣服を着用する時にファスナー、スナップ及びボタンが引っ掛かったり、或いはそれらが宝飾品類又は衣類の別の品目に引っ掛かったり、皮膚をこすったりすることがある。ファスナー、スナップ及びボタンの必要性を除去することはまた衣服の機械での洗濯性を向上させる点でも有利である。
【０００８】
好ましくは、ポケットは衣服の内側に配置されている。
【０００９】
ポケットが衣服の外側に配置されていた場合、目立たせるデザイン要素を与えるために使用可能である。しかしながら、Pacamac（登録商標）やK-way（登録商標）の防水とは異なり、本発明の衣服は、普段着と同様に正装の衣服に特に適しており、内側のポケットに配置されているような環境は衣服が着られているときに分離して目立たないことを意味する。
【００１０】
ポケットは衣服の背面に取り付けられているのが好ましく、ポケットは、第１の部分が衣服に取り付けられ、ポケットが少なくとも肩／背面の一部分を覆うように配置されているのがより好ましい。
【００１１】
ポケットが上方背面／肩部に配置されていると、着用者にさらなる暖かさを与えるさらなる利点を有することができる。特に、腕、胸及び腹に体毛を有しがちな男性にとって、その背面及び肩に寒気を感じることがよくある。
【００１２】
本発明の別の実施の形態では、ポケットは第１の部分が衣服の下縁の一部分に沿って取り付けられるように配置されている。
【００１３】
繊維は、羊毛、カシミア、化学繊維又は合成繊維又はマイクロファイバー、又は異なる繊維及び又はマイクロファイバーの混合のような、天然繊維である。
【００１４】
羊毛繊維の使用はそれらが弾力があり、弾性があり、折り目が付き難いといったさらなる利点を与える。これは衣服が礼式の環境で着用し、又は着用者がしわになるのを望まない場合に特に重要である。Pacamac（登録商標）やK-way（登録商標）の防水はバッグから取り外された時に折り目がついてしわになる。
【００１５】
繊維は１９．５ミクロンの最大幅を有しているのが好ましい。
【００１６】
ポケットは、４つの縁を有し、第１の部分が３つの隣接する縁を備えているのが好ましい。
【００１７】
ポケットの好ましい形状は台形状であり、第１の部分は３つの隣接する縁を備えているのが好ましい。その縁は直線状に形成されていてもよく、湾曲されていてもよい。
【００１８】
代わりに、ポケットは楕円形状又は長円形状をしていてもよい。
【００１９】
ポケットはとっくり襟の衣服の襟に配置されてもよい。
【００２０】
本発明の別の実施の形態では、ポケットは正面と背面を有し、織物の一つの部分はポケットの前面を形成し、衣服に取り付けられ、衣服の一部分はポケットの背面を形成する。
【００２１】
さらなる実施の形態では、ポケットは正面及び背面を有し、ポケットの外辺部の第１の部分の少なくとも一部分によって衣服に取り付けられる。
【図面の簡単な説明】
【００２２】
【図１】本発明に記載の編まれた衣服の平面図である。
【図２】図１の衣服の背面内側の平面図である。
【図３】図２に類似した図であるが、衣服が部分的に折り畳まれている図である。
【図４】図１の衣服を完全に折り畳んだ状態を横から見た図である。
【図５】図１の衣服をポケットに包み込んだ状態を横から見た図である。
【図６】本発明に記載の衣服の代わりの実施の形態を絵で表わした図である。
【図７】本発明に記載の衣服の使用のため代わりのポケット形状の平面図である。
【発明を実施するための形態】
【００２３】
本発明は、添付した図面を参照しつつ、例示だけのために説明されるだろう。
【００２４】
図１を参照すると、本発明による衣服が示されている。衣服１０は非常に細かい又はマイクロファイバーから作られている。これらは天然繊維であり、好ましくは、羊毛又はカシミア、化学繊維又は人工繊維又はマイクロファイバー、又は異なるタイプの繊維の混合であってもよい。それらの繊維は１９．５ミクロン以下の直径を有しているのが好ましい。衣服１０が編まれ、それはかなり伸縮性があることを意味している。それが非常に細かい繊維から作られているため、それは非常に細かい編み糸により編まれ、そのため、軽量であり、小さくコンパクトなサイズに折り畳むことができる。
【００２５】
衣服２０にはポケット１１が取り付けられており、それは衣服１０と同じ材質製であるのが好ましい。ポケット１１の外辺部は、衣服１０に取り付けられる第１の部分と、ポケットの口を形成する第２の部分１３を有している。
【００２６】
図１〜３に示された実施の形態では、ポケット１１は４つの直線状の縁を有している。これらは、ポケット１１の基部を形成する長い縁と、ポケット１１の口を形成する対向する短めの縁（第２の部分）１３とを備えている。ポケット１１は台形状を有しているのが好ましい。ポケットの縁は直線状に形成されていたり、又はポケット１１の中央から外側に湾曲したりしていてもよい。図１に示された実施の形態では、ポケット１１は対向する短めの縁１３を自由にする長い側縁により衣服１０に取り付けられている。
【００２７】
ポケット１１の代わりの実施の形態は図７に示されており、それは楕円形状又は長円形状を成している。第１の部分１３はポケットの最大長さＰＬより狭くなければならない。口１３は長さＰＬのほぼ６５％であるのが好ましい。
【００２８】
ポケットは衣服１０の外側に配置されていてもよいが、それを最も目立たないようにするため、内側に配置されるのがより好ましい。
【００２９】
最も都合のよいことには、ポケット１１は第１の部分の少なくとも一部分（図１においてこれは長い縁）が衣服の上部（首）又は下部（縁）に沿って取り付けられ、それがどこかに配置された場合より衣服をポケットに折り畳みやすくさせるように配置されているのがよい。より好ましくは、上述したように着用者に対して極上の暖かさ及び快適さを与えるように、それは衣服１０の内側の上部背面／肩面に配置されているのがよい。
【００３０】
衣服１０が着用されていない時、それは図２〜５に示されているように折り畳まれる。第１に、ポケット１１が衣服１０の内側に配置されている場合、衣服１０は内側から外側に向く。第２に、衣服１０の本体の外縁（及びある場合には袖）が内部に折り畳まれ、衣服１０の折り畳まれた幅ＧＷがポケット１１の最大長さＰＬより大きくならないようになっている。その後、衣服１０の下部又は縁は首の方に折り畳まれ、折り畳まれた層の堆積１２が形成され（図４参照）、ポケットの深さＰＤとほぼ同じ長さＧＬを有するようになっている。その後、ポケット１１の第１の部分１３は持ち上げられ、矢印Ｘで示されているように堆積１２の前部を折り畳むことができる。ポケット１１／衣服１０の素材が伸縮性を有するので、ポケット１１は折り畳まれた層の堆積１２を包み込むと共にそれらを一緒にしっかりとコンパクトな包み１４に保持するように伸縮する。
【００３１】
その収容された形態では、ポケット１１は衣服１０を保護し、それが汚れたり、しわになったりするのを防止する。それは、必要とされるまで、例えば、ブリーフケース、ハンドバッグ、バッグ、又はポケットでさえ運ぶことができる。
【００３２】
本発明は、チョッキ、タンクトップ、プルオーバー、ジャンパー、カーディガン等のような複数の異なるタイプの編まれた衣類での使用に適している。
【００３３】
ポケット１１及び包み１４のサイズは、使用される繊維のタイプ、衣服のサイズ及び構造、例えば、それが腕、ロールネック、ベルト等を有しているかどうかに依存する。しかしながら、一旦衣服が折り畳まれると、包み１４の寸法の好都合なサイズは、２００〜２５０ｍｍの範囲の長さ、１００〜１５０ｍｍの範囲の高さ、及び４５〜６０ｍｍの幅を有することである。
【００３４】
ポケット１１はさらなる暖かさを与えるために衣服の背面／肩に配置されるのが理想的だが、どこに配置されていてもよい。本発明のさらなる実施の形態では、ポケット１１はとっくり襟の衣服１０の首部の内側に配置されていてもよい。
【００３５】
ポケット１１は繊維の一部分を衣服１０に縫ったり／編んだりすることにより（図１〜３に示されているように）作られてもよい。したがって、衣服の一部分（好ましくはその背面）はポケット１１の背面を形成し、縫われたり／編んだりされた繊維部分はポケットの形を形成する。これは必要な繊維量を削減し、衣服１０をさらに軽量及び小さくし、衣服１０の製造を簡単且つ安価にもする。
【００３６】
ポケット１１は、図６に示されているように、ポケットの外辺部の第１の部分によって衣服１０に取り付けた独立の前部及び後部を有している（ポーチスタイル）。この場合、ポケット１１は着用時に目立たず、それが衣服１０の首の内側にしまい込まれると、着用者に対して肩回りにさらなる暖かさを与える。
【００３７】
代わりの実施の形態として、衣服１０は折り畳まれる代わりにポケット１１に回転させてもよい。
【図１】
2009544860.tif 000003
【図２】
2009544860.tif 000004
【図３】
2009544860.tif 000005
【図４】
2009544860.tif 000006
【図５】
2009544860.tif 000007
【図６】
2009544860.tif 000008
【図７】
2009544860.tif 000009
【国際調査報告】
2009544860.tif 000010
2009544860.tif 000011
2009544860.tif 000012